(57)【要約】      （修正有）【課題】冷蔵庫の野菜室下段ケース内の湿度を均一にし、結露の発生を防止できる野菜室を提供する。【解決手段】本発明の冷蔵庫は、野菜室６内に上段ケース２１と下段ケース２２を備え、上段ケースが下段ケースの上面を覆う冷蔵庫であって、冷蔵庫は、上段ケース内に送風するための送風機を備え、上段ケースは、その下面に複数の開口を備えたスライド板２３を有しており、スライド板がスライドすることにより、上段ケースの下面が開閉されることを特徴とする。【選択図】図２
2014115014.tif 000002
【特許請求の範囲】
【請求項１】
野菜室内に上段ケースと下段ケースを備え、前記上段ケースが前記下段ケースの上面を覆う冷蔵庫であって、
前記冷蔵庫は、前記上段ケース内に送風するための送風機を備え、
前記上段ケースは、その下面に複数の開口を備えたスライド板を有しており、
前記スライド板がスライドすることにより、前記上段ケースの下面が開閉されることを特徴とする冷蔵庫。
【請求項２】
前記開口は、野菜室内に配置された湿度センサまたは結露センサによって測定された湿度に応じて、前記開口を開閉することを特徴とする請求項１に記載の冷蔵庫。
【請求項３】
前記送風機は、イオン発生装置によるイオンを送風することを特徴とする請求項１に記載の冷蔵庫。
【発明の詳細な説明】
【技術分野】
【０００１】
本発明は、冷蔵庫の野菜室に関するものである。
【背景技術】
【０００２】
最近の冷蔵庫は、冷凍室、冷蔵室及び野菜室を備えたものが普及している。貯蔵物を冷蔵保存する冷蔵室と、冷蔵室よりも高温に維持され、野菜の保存に適した野菜室とを備えている。野菜室内には、貯蔵物を収納する出し入れ自在の野菜ケースが設けられ、野菜ケースを引き出して野菜や果物等の貯蔵物が収納されることが多い。このような冷蔵庫の構造として特許文献１が開示されている。
【０００３】
図１０は、特許文献１での野菜室１０１の側面断面図である。野菜室１０１内には、果物ケース１０２及び野菜ケース１０３から成る収納ケース１０４が配置される。野菜室１０１は、間接冷却で冷気が野菜室１０１内面の循環路にそって循環している。
【０００４】
果物ケース１０２にイオン送出ユニット１０５が取り付けられ、果物ケース１０２内にイオンが送出され、浮遊菌、付着菌の抑制とエチレンガスの増加を抑える。流入口１０６は、野菜室１０１の後端に下方に向けて配置される。流入口１０６の前方にはイオンを送出するイオン送出ユニット１０５が取り付けられる。冷気は、流入口１０６から野菜室１０１に流入し、矢印Ｍ方向に示すように、イオン送出ユニット１０５の後方を流通して収納ケース１０４の周囲を流通し、流出口を介して冷却器（不図示）に戻り、野菜室１０１が冷却される。
【先行技術文献】
【特許文献】
【０００５】
【特許文献１】特開２０１１−６４３６４号公報
【発明の概要】
【発明が解決しようとする課題】
【０００６】
しかしながら、特許文献１に示すような野菜室では、野菜室である下段ケースの乾燥を防ぐために、下段ケースの密閉度を高めて高湿度にしたいとの要求がある。そのような場合には、野菜室の上段ケースと下段ケースとの湿度が異なり、下段ケースの湿度が高いと、下段ケース内部で結露が発生しやすくなるので、あまり密閉度を高めることができないという課題があった。
【０００７】
本発明は、上記の課題に鑑みてなされたものであり、密閉度を高めた場合においても結露の発生を防止できる冷蔵庫を提供するものである。
【課題を解決するための手段】
【０００８】
本発明の冷蔵庫は、野菜室内に上段ケースと下段ケースを備え、上段ケースが下段ケースの上面を覆う冷蔵庫であって、冷蔵庫は、上段ケース内に送風するための送風機を備え、上段ケースは、その下面に複数の開口を備えたスライド板を有しており、スライド板がスライドすることにより、上段ケースの下面が開閉されることを特徴とする。
【発明の効果】
【０００９】
本発明によれば、密閉度を高めた場合においても、結露の発生を防止することができる。
【図面の簡単な説明】
【００１０】
【図１】本発明の冷蔵庫の側断面図である。
【図２】本発明の野菜室の側断面図を示す模式図である。
【図３】本発明の野菜室における開口が開いている状態の平面図である。
【図４】本発明の野菜室における開口が閉じている状態の平面図である。
【図５】本発明の送風ユニットを下方から見た水平断面図である。
【図６】本発明の野菜室における送風を示す側断面図である。（ａ）はＢ−Ｂ’の部分断面図、（ｂ）はＡ−Ａ’の部分断面図
【図７】本発明の野菜室における送風を示す側断面図である。（ａ）はＢ−Ｂ’の部分断面図、（ｂ）はＡ−Ａ’の部分断面図
【図８】本発明の冷蔵庫における制御部のブロック図である。
【図９】本発明のスライド板の開閉機構の斜視図である。
【図１０】従来の実施形態の冷蔵庫の野菜室内を示す側断面図である。
【発明を実施するための形態】
【００１１】
以下、本発明の実施例を示す図面に基づいて説明する。
【００１２】
図１は、本発明の冷蔵庫の側断面図である。冷蔵庫１は、冷蔵室２、冷蔵室扉３、冷凍室４、冷凍室扉５、野菜室６、野菜室扉７及び断熱壁８から構成される。断熱壁８は、冷凍室と野菜室６、冷凍室と冷蔵室との仕切部を断熱している。野菜室６は、下段に配置されているが、下段以外に配置してもよい。以下において、「左右方向」と記載した場合には、冷蔵庫１の扉側から奥側に直角の方向を示す。
【００１３】
図２は、本発明の野菜室６の側断面図を示す模式図であり、野菜室６の扉を閉じた状態である。野菜室６内には、下段ケース２２及び上段ケース２１からなる収納ケースが配置される。下段ケース２２は、野菜室６の野菜室扉７に固定アングル２７で固定され、野菜室扉７の開閉によって出し入れされる。上段ケース２１は、下段ケース２２の上面を覆い、下段ケース２２と一体に出し入れされるとともに、下段ケース２２に対して前後にスライド自在になっている。下段ケース２２及び上段ケース２１は、それぞれ樹脂材料で成型される。上段ケース２１は、開口面の周縁を外側に突出した周縁部（不図示）を設け、周縁部が下段ケース２２の側壁上に設置される。これにより、上段ケース２１周縁部の下面と下段ケース２２の側壁上面とが摺動して、上段ケース２１が前後にスライドする。上段ケース２１の下面には、複数の開口Ｙが設けられている。
【００１４】
下段ケース２２の深さは、上段ケース２１の深さより深くなっている。このため、下段ケース２２にはキャベツ、白菜等の大型の葉物の野菜等が収納される。下段ケース２２内は、上段ケース２１により上面が覆われるため、冷気が当たることによる乾燥が抑制され、乾燥による食材の劣化が防止される。
【００１５】
上面が開放される上段ケース２１は、ケースの深さが浅いことから、ブロッコリー等の小型の野菜やリンゴ等の果物が収納される。上段ケース２１は、野菜室６の上壁を形成する断熱壁８に接近して配置され、上段ケース２１の上面は、断熱壁８により覆われる。これにより、上段ケース２１の上面から上段ケース２１内への冷気の流入が抑制され、上段ケース２１内の乾燥による食材の劣化が防止される。また、上段ケース２１内の湿度の高い冷気は、送風ユニット２４により循環することができる。
【００１６】
スライド板２３は、上段ケース２１の下面に接して、配置されている。スライド板２３には、複数の開口Ｚが設けられている。スライド板２３が、上段ケース２１の下面をスライドできるようにするため、上段ケース２１下面の左右方向に、ガイド板２６が、上段ケース２１に一体成型されている。上段ケース２１の後方には、送風ユニット２４及びソレノイド２５が設けられる。送風ユニット２４は、上段ケース２１内にイオンを含む空気を送風する。ソレノイド２５は、内部に円柱状の押出し棒３１を備え、通電時に押出し棒３１が押し出され、通電停止時に押出し棒３１が戻る。
【００１７】
図３は、本発明の野菜室６の平面図である。図３は、開口Ｙが開いている状態を示している。スライド板２３には、左右方向に移動する開閉機構が取り付けられる。上段ケース２１下面には、スライド板２３がスライドする一端に、弾性部材である圧縮バネ３３が２個取り付けられる。圧縮バネ３３は、上段ケース２１の下面に一体成型された直方体形状のバネ止め３４の両端にそれぞれ機械的に固定される。上段ケース２１の下面には、長方形状の開口Ｙが、複数設けられている。開口Ｙは、上段ケース２１の底面の前側と後側に２分されて横方向に複数配設されている。スライド板２３の面上には、長方形状の開口Ｚが複数設けられている。スライド板２３の開口Ｚは、スライド板２３の前側と後側に２分されて横方向に複数配置される。図３は、スライド板２３をスライドさせ、上段ケース２１の開口Ｙとスライド板２３の開口Ｚが一致し、上段ケース２１の開口Ｙが、下段ケース２２の開口Ｚにより、開いている状態である。スライド板２３は、長方形状の平板から四角柱状の突出しているスライドレバー３２を一端部に備える。スライドレバー３２の鉛直面はソレノイド２５の押出し棒３１の円形の先端面に対面している。ソレノイド２５は、通電時、ソレノイド２５内部の押出し棒３１が押し出され、スライドレバー３２の先端の鉛直面に当接し、更にスライドレバー３２を押すことで、スライド板２３をスライドさせる。スライド板２３は、ガイド板２６に沿ってスライドする。スライド板２３のスライド後、上段ケース２１の下面に固定されている圧縮バネ３３は圧縮される。
【００１８】
図４は、本発明の野菜室６の平面図である。図４は、開口Ｙが閉じていている状態を示している。ソレノイド２５への通電が停止すると、押出し棒３１は、ソレノイド２５内に戻るので、スライド板２３は、２個の圧縮バネ３３の弾性により、圧縮バネ３３と反対方向にスライドされる。スライド板２３のスライドにより、スライド板２３の開口Ｚも移動して、上段ケース２１の開口Ｙとスライド板２３の開口Ｚとの位置がずれて、上段ケース２１の開口Ｙは、閉じる。すなわち、開口Ｙは、ソレノイド２５の通電時には開き、通電停止時には閉じる。
【００１９】
開口Ｙの開時間の設定は、短時間とする。例えば、開口Ｙの開時間は、使用者が野菜室６を開閉した後の数分間または所定時間、あるいは使用頻度が少ない夜中の数分間または所定時間としてもよく、またはこれらを組合せてもよい。
【００２０】
図５は送風ユニット２４を下方から見た水平断面図である。送風ユニット２４は、ハウジング５１、送風機５２及びイオン発生装置５３から構成される。送風ユニット２４は、樹脂成形品でできたハウジング５１で覆われる。ハウジング５１の左右方向は、上段ケース２１の左右方向に対向する。ハウジング５１に設けた吸込み口５４と吹出し口５５は、左右に、略同一高さで設けられる。吸込み口５４と吹出し口５５の外側には、それぞれ送風方向を一定方向にする風向板（不図示）が設けてあり、風向板により送風の吸込み方向または吹出し方向を水平か斜め下向きかのどちらかにする。具体的には、吸込み口５４の風向板が、水平である場合、吹出し口５５の風向板は、斜め下向きに設ける。逆に、吸込み口５４の風向板が、斜め下向きである場合、吹出し口５５の風向板は、水平に設ける。送風ユニット２４は、冷気を吸込み口５４から吸込み、吹出し口５５から吹出す。イオン発生装置５３は、送風ユニット２４と同期して通電される。なお、風向板を用いているが、送風ユニット２４内部に同じ機能を設けてもよい。または、上段ケース２１内に同じ機能を設けてもよい。
【００２１】
放電電極５６、５７には、誘導電極５８に対して正極性または負極性の高電圧がそれぞれ印加される。これにより、放電電極５６と誘導電極５８との間に形成されるイオン発生部５９に例えばコロナ放電によりプラスイオンが発生する。また、放電電極５７と誘導電極５８との間に形成されるイオン発生部６０に例えばコロナ放電によりマイナスイオンが発生する。
【００２２】
イオン発生装置５３は、Ｈ＋（Ｈ２Ｏ）ｍ（ｍは自然数）から成るプラスイオン及びＯ２−（Ｈ２Ｏ）ｎ（ｎは自然数）から成るマイナスイオンを主として発生するである。イオン発生装置５３に通電した場合、送風ユニット２４は、冷気を吸込み口５４からハウジング５１内に取り込み、矢印Ｃに示す送風機５２に向かう方向に流して、送風機５２を通過して、イオン発生装置５３で発生したイオンを含む冷気を矢印Ｄに示す吹出し口５５に向かう方向に流して、吹出し口５５から、上段ケース２１内に送出する。上段ケース２１内に送出されたイオンは、果物と野菜への浮遊菌と付着菌を抑制し、更にエチレンガスの増加を抑える効果がある。なお、イオン発生装置５３は、マイナスイオン及びプラスイオンの両方を発生させているが、どちらか一方だけ発生させてもよく、上記に限定するものでない。
【００２３】
上段ケース２１への冷気の循環は、ハウジング５１に設けた吸込み口５４と吹出し口５５で、下方もしくは、水平の方向に向けて、一定方向に冷気を流す。なお、送風ユニット２４において、イオン発生装置５３は、通電の入り切りの切替えができる切替え操作部（不図示）を設けて、使用者が、通電と通電停止を切替えするようにしてもよい。あるいは、果物と野菜への浮遊菌、付着菌の抑制とエチレンガスの増加を考慮しないのであれば、イオン発生装置５３自体を備え付けなくてもよい。
【００２４】
図６は、本発明の野菜室６における送風を示す側断面図で、図６（ａ）はＢ−Ｂ’の部分断面図、図６（ｂ）はＡ−Ａ’の部分断面図である。図６（ａ）において、送風は、上段ケース２１内を図の実線で示す矢印Ｅ方向となり、時計回りに流れる。具体的には、送風は、送風ユニット２４の吹出し口５５から吹出され、上段ケース２１の底面に沿って流れ、上段ケース２１の前面内面に当たり、上方向に流れて、次に断熱壁８下面を沿って流れ、戻って送風ユニット２４の吸込み口５４に吸い込まれる。
【００２５】
図６（ｂ）は、上段ケース２１の開口Ｙが開いているので、送風は、上段ケース２１において、図６（ａ）と同じく、実線で示す矢印Ｅ方向となり、時計回りに流れる。更に、送風された冷気の一部は、分流して開口Ｙから下段ケースに入る。この冷気の流れは、図６（ｂ）において実線の左向きで示す矢印Ｅ’方向となり、上段ケース２１の後側の開口Ｙとスライド板２３の開口Ｚから下段ケース２２に入って、スライド板２３下方に沿って流れ、前側の開口Ｚと開口Ｙから下段ケース２２を出て、上段ケース２１に入り、実線で示す矢印Ｅ方向の本流に合流する。
【００２６】
次に、下段ケース２２内での冷気の流れは、実線で示す左向きの矢印Ｅ’方向に流れることで、下段ケース２２内の空気の対流が起こり、点線で示す矢印Ｆ方向である反時計回りに流れる循環が起きる。下段ケース２２内での空気の循環により、開口Ｙを開けておくことで、下段ケース２２内での温度と湿度が略均一になる。特に下段ケース２２は、乾燥防止のため、密閉度を高くしているので、空気の循環が少ない。下段ケース２２内よりも上段ケース２１内の、より湿度の低い冷気を下段ケース２２に入れて混ぜることで、結露の発生が更に防止できる。
【００２７】
下段ケース２２内での冷気の流れは、点線で示す矢印Ｆ方向である反時計回りに流れるので、下段ケース２２内の空気が循環され、湿度と温度が均一化されるため、結露の発生が防止できる。更にイオン発生装置を動作させる場合、送風に乗ったイオンが、送風ユニット２４の吹出し口５５の斜め下方にある下段ケース２２の開口Ｙからすぐに下段ケース２２内に入るので、イオンの分解が少なく、下段ケース２２内の果物と野菜への浮遊菌、付着菌を抑制する。更に、エチレンガスを分解するので、エチレンガスの増加を抑える効果がある。すなわち、イオンは、時間経過とともに分解し、効果が弱まるので、すぐに下段ケース２２内に入れるのがよい。また、冷却器（不図示）から野菜室６への冷気の流入口は、野菜室６の後部上端にあり、下段ケース２２の後部上端に近い。したがって、下段ケース２２の後部上端の内側部分が特に冷やされて結露が発生しやすいが、該内側部分が、送風が入る後側の開口Ｙに近いことと、下段ケース２２内の空気の循環により、部分的に結露に近い高湿度状態が解消するので、結露の発生が防止できる。
【００２８】
図７は、本発明の野菜室６における送風を示す側断面図で、図７（ａ）は、図４のＢ−Ｂ’の部分断面図で開口Ｙが閉じている状態である。図７（ｂ）は、図３のＡ−Ａ’の部分断面図で、開口Ｙが開いている状態である。図７と図６との違いは、送風ユニット２４からの送風方向が逆回りである。図７（ａ）において、送風は、上段ケース２１内を図の実線の矢印Ｇ方向である反時計回りに流れる。具体的には、送風は、送風ユニット２４の吹出し口５５から吹出され、上段ケース２１上面の断熱壁８下面に沿って流れ、上段ケース２１の前面内面に当たり、下方向に流れて、次に上段ケース２１底面を沿って流れ、送風ユニット２４の吸込み口５４から送風ユニット２４に吸い込まれる。
【００２９】
図７（ｂ）は、上段ケース２１の開口Ｙが開いているので、送風は、上段ケース２１において、図７（ａ）と同じく、実線の矢印Ｇ方向に示す反時計回りに流れる。更に、送風された冷気の一部は、分流して開口Ｙから下段ケースに入る。この冷気の流れは、図７（ｂ）において実線の右向きで示す矢印Ｇ’方向となり、上段ケース２１の前側の開口Ｙとスライド板２３の開口Ｚから下段ケース２２に入って、スライド板２３下方に沿って流れ、後側の開口Ｚと開口Ｙから下段ケース２２を出て、上段ケース２１に入り、実線で示す矢印Ｇ方向の本流に合流する。
【００３０】
次に、下段ケース２２内での冷気の流れは、実線で示す右向きの矢印Ｇ’方向の冷気の流れによって、下段ケース２２内で対流が起こり、点線で示す矢印Ｈ方向である、時計回りに流れる循環が起きる。下段ケース２２内での空気の循環により、下段ケース２２内での温度と湿度が略均一になる。特に下段ケース２２は、乾燥防止のため、密閉度を高くしているので、空気の循環が少ない。下段ケース２２内よりも上段ケース２１内のより湿度の低い冷気を下段ケース２２に入れて混ぜることで、結露の発生が更に防止できる。
【００３１】
下段ケース２２内での冷気の流れは、点線で示す矢印Ｈ方向である時計回りに流れるので、下段ケース２２内の空気が循環され、下段ケース２２内での湿度と温度が均一化されるため、結露の発生が防止できる。更にイオン発生装置を動作させる場合、送風に乗ったイオンが、下段ケース２２に入るので、果物と野菜への浮遊菌、付着菌を抑制し、更にエチレンガスの増加を抑える効果がある。特に冷却器からの野菜室６への冷気の流入口は、野菜室６の後部上端にあり、下段ケース２２の後部上端に近い。したがって、下段ケース２２の後部上端の内側部分が特に冷えて結露が発生しやすい。冷気の流れは、図７（ｂ）において実線の右向きで示す矢印Ｇ’方向であるので、一部は、下段ケース２２の特に冷える後部上端の内側部分にも届くので、該内側部分の空気は、循環される。該内側部分を含めた下段ケース２２内での空気の循環により、下段ケース２２内での部分的に結露に近い高湿度状態が解消するので、結露の発生を防止でき、かつ上段ケース２１よりも高湿度状態を維持する。イオン発生装置を動作させる場合、吹出し口５５から上段ケース２１上面の断熱壁８下面に沿って流すことで、イオンを上段ケース２１内により拡散させ、果物と野菜への浮遊菌、付着菌を抑制し、更にエチレンガスの増加を抑えることができる。
【００３２】
図８は、本発明の冷蔵庫１における制御部８１のブロック図である。制御部８１は、冷凍サイクル（不図示）の運転制御とソレノイド２５への通電制御を含む冷蔵庫１全体の制御をつかさどる。制御部８１は、ソレノイド２５、イオン発生装置５３、送風機５２、扉開閉スイッチ８２、湿度センサ８３及びタイマー８４に接続される。湿度センサ８３は、下段ケース２２内に配置された湿度を検知する湿度センサである。なお、湿度センサ８３の代わりに、結露の発生を検知する結露センサを用いてもよい。また、扉開閉スイッチ８２の代わりに、扉の位置の変動を検知する位置センサまたは、距離を検出する超音波センサを用いてもよい。
【００３３】
結露の発生を防止するために、湿度センサ８３が相対湿度８５％以上になったことを検知すると、下段ケース２２と上段ケース２１との開口Ｙを所定時間開けることで、上段ケース２１内の空気と、上段ケース２１内よりも下段ケース２２内の湿度の高い空気を混合させることで、下段ケース２２内の部分的に結露に近い高湿度状態を解消することができ、結露の発生を防止することができる。特に冷却器（不図示）からの冷気の流入口は、野菜室６の後部で下段ケース２２の上側に近い部分の内側が冷え、相対湿度が９０％になると、結露が発生しやすい環境となるので、この場所に湿度センサ８３を設けてもよい。下段ケース２２の相対湿度が、略８５％であれば、通常の高湿度環境よりも少し高いので、長時間同じ相対湿度であれば、結露が発生する可能性がある。一例として、最低相対湿度８０％が長時間続くと結露が発生する可能性が高いので、２〜３時間に１回、略２分または２分以上、開口Ｙを開けることで、結露の発生が防止できる。あるいは、最低相対湿度が、８５％を超える時には、１時間に１回、略２分または２分以上、開口Ｙを開けることにより、結露の発生を防止してもよい。湿度センサ８３については上述したが、湿度または結露を検知できる機能がある検知センサ等を用いてもよい。
【００３４】
なお、湿度センサ８３を用いて説明しているが、結露発生前の所定時間毎に、上段ケース２１の開口Ｙをタイマー８４で、開閉を制御するようにし、結露の発生を未然に防いでもよい。あるいは、野菜室扉７が開閉される都度、野菜室扉７の開閉に同期して、上段ケース２１の開口Ｙが開閉される機構にしてもよい。あるいは、使用者自身が、野菜室扉７を手動でスライド板２３をスライドさせ、上段ケース２１の開口Ｙを開閉する機構としてもよい。
【００３５】
図９は、本発明のスライド板２３の開閉機構の斜視図である。
スライド板２３の開閉機構は、回転力を直線の動きに変換するラックアンドピニオンを用いる。ピニオン９３の中心には、ステッピングモータ（不図示）の回動軸があり、ステッピングモータの回動により、ピニオン９３が回動し、ラック９２が左右方向に所定の距離だけ移動し、ラックに一体に固定されたレバーホルダ９１が同期して移動する。レバーホルダ９１は、水平断面がコの字形状で、垂直方向に厚みを有し、開口側がラック９２と背中合せにあり、ラック９２に機械的に固定される。レバーホルダ９１のコの字形状の内側に、スライドレバー３２が、挿入される。スライドレバー３２の四角柱状の側面が、レバーホルダ９１の内側と略当接して固定される。レバーホルダ９１が所定の距離だけ移動することで、スライドレバー３２と一体であるスライド板２３も同じ距離だけスライドする。スライド板２３のスライドにより、開口Ｙの開閉が行われる。ステッピングモータは、制御部８１からの信号で動作する。制御部８１からの信号を制御することでステッピングモータの駆動を可変して制御することができるので、開口Ｙの開口の大きさを全閉から全開まで可変することができる。開口Ｙの開口の大きさを可変することで、効率的に下段ケース２２内の結露の発生が、防止できる。
【００３６】
なお、開口Ｙについては、スライド板を用いて説明したが、開口Ｙの形成方法は、これに限定するもので無い。一例として、回動可能なシャッター板で構成することも可能である。また、開口Ｙについては、全開、全閉以外に多種の開閉量を設けてもよい。開口Ｙは、下段ケース２２の左右方向に複数配設したが、配置は、これに限定するものでない。形状も長方形状としているが、楕円形、円形、小判形状、正方形等でもよい。開口Ｙは、上段ケース２１の下面の前側と後側に２分して配列しているが、下段ケース２２内の空気を循環させる配置であれば、この限りでない。
【００３７】
なお、上段ケース２１の底面とスライド板２３にそれぞれ開口Ｙ、Ｚを設けているが、保存している果物、野菜の突出している部分の一部が開口Ｙ、Ｚに入り込む可能性がある。この場合、開口Ｙ、Ｚに果物、野菜の一部が入り込まないように開口Ｙ、Ｚを覆う開口カバー（不図示）を設けてもよい。開口カバーは、細い網状や細長いスリット状の樹脂カバーとし、上段ケース２１とスライド板２３の一方または両方に一体に成型してもよい。あるいは、果物、野菜の一部が入り込まない構造であれば、この限りでない。
【００３８】
以上で説明した実施形態は、あくまで本発明を実施するに当たっての一例であり、本発明はそれらに限定されるものではない。上述した実施形態に開示された技術的手段に、周知慣用技術を適宜組み合わせて得られる態様についても本発明の技術的範囲に含まれる。
【符号の説明】
【００３９】
１      冷蔵庫
２      冷蔵室
３      冷蔵室扉
４      冷凍室
５      冷凍室扉
６      野菜室
７      野菜室扉
８      断熱壁
２１    上段ケース
２２    下段ケース
２３    スライド板
２４    送風ユニット
２５    ソレノイド
２６    ガイド板
３１    押出し棒
３２    スライドレバー
３３    圧縮バネ
５１    ハウジング
５２    送風機
５３    イオン発生装置
５４    吸込み口
５５    吹出し口
８１    制御部
８２    扉開閉スイッチ
８３    湿度センサ
８４    タイマー
９１    レバーホルダ
９２    ラック
９３    ピニオン
Ｙ      開口
Ｚ      開口
【図１】
2014115014.tif 000003
【図２】
2014115014.tif 000004
【図３】
2014115014.tif 000005
【図４】
2014115014.tif 000006
【図５】
2014115014.tif 000007
【図６】
2014115014.tif 000008
【図７】
2014115014.tif 000009
【図８】
2014115014.tif 000010
【図９】
2014115014.tif 000011
【図１０】
2014115014.tif 000012